(57)【要約】【課題】空気の吹出方向と共にルーバがスイング動作するように設定されているか否かを容易に判断することが可能な空気調和機を提供する。【解決手段】操作部２３の左右風向キーが操作された場合、リモコン２の制御部２０は、左右風向キーに対応する制御信号を室内機１へ発信させ、左右方向の風向を示す画像と共に、垂直ルーバがスイング状態であることを示す「スイング」という文字情報を必要に応じて表示部２４に表示させる。室内機１の制御部１０は、信号受信部１７を介してリモコン２から発信された制御信号を取得した場合、取得した制御信号に従って、所定の回動範囲内で垂直ルーバを所定の角度だけ回動させるように垂直ルーバ駆動部１６を制御し、又は信号受信部１７を介してリモコン２から発信された制御信号を取得している間、所定の回動範囲内で垂直ルーバを連続して回動させるように垂直ルーバ駆動部１６を制御する。【選択図】図２
2008170133.tif 000002
【特許請求の範囲】
【請求項１】
空気を吸い込む吸込口と、該吸込口から吸い込まれた空気を加熱又は冷却する熱交換器と、該熱交換器によって加熱又は冷却された空気を吹き出す吹出口と、該吹出口から吹き出される空気の吹出方向を回動角度に応じて変更するルーバと、該ルーバを回動させる回動手段と、空気の吹出方向を変更する指示又は前記ルーバをスイング動作させる指示を受け付ける受付手段と、該受付手段が受け付けた指示に従って前記回動手段を制御する制御手段と、空気の吹出方向を示す情報を表示する表示手段とを備えた空気調和機において、
前記表示手段は、前記受付手段が前記ルーバをスイング動作させる指示を受け付けた場合、前記ルーバのスイング動作に基づく空気の吹出範囲を示す情報と、前記ルーバがスイング動作中であることを特定する特定情報とを同時に表示するように構成されていることを特徴とする空気調和機。
【請求項２】
前記表示手段は、
前記ルーバの回動角度に応じて変更可能な空気の吹出方向を複数に分割し、それぞれ分割された吹出方向を示す情報によって各吹出方向を示しており、
前記受付手段が前記ルーバをスイング動作させる指示を受け付けた場合、前記ルーバのスイング動作に基づく空気の吹出範囲に含まれる吹出方向を示す全ての情報を同時に表示するように構成されていることを特徴とする請求項１に記載の空気調和機。
【請求項３】
前記特定情報は、前記ルーバがスイング動作中であることを示す文字情報であることを特徴とする請求項１又は２に記載の空気調和機。
【請求項４】
前記吸込口、前記熱交換器、前記吹出口、前記ルーバ、前記回動手段及び前記制御手段を備えた装置本体と、該装置本体の遠隔操作が可能であり、前記受付手段及び前記表示手段を備えた遠隔操作機とを含むことを特徴とする請求項１乃至３のいずれかひとつに記載の空気調和機。
【請求項５】
前記ルーバは、前記吹出口から吹き出される空気の吹出方向を上下方向に変更する横ルーバ及び／又は前記吹出口から吹き出される空気の吹出方向を横方向に変更する縦ルーバであることを特徴とする請求項１乃至４のいずれかひとつに記載の空気調和機。
【発明の詳細な説明】
【技術分野】
【０００１】
本発明は、加熱又は冷却された空気を室内へ吹き出す際の吹出方向を示す情報を表示する表示手段を備えた空気調和機に関する。
【背景技術】
【０００２】
空気調和機は、吸込口から吸い込まれた室内の空気を熱交換器によって加熱又は冷却し、送風ファンの回転によって室内へ吹き出す。加熱又は冷却された空気の吹出口には、吹き出される空気の吹出方向を上下方向に変更できる水平ルーバ（横ルーバ）及び／又は吹き出される空気の吹出方向を横（左右）方向に変更できる垂直ルーバ（縦ルーバ）が設けられている。従ってユーザは、水平ルーバ及び／又は垂直ルーバの角度を変更することにより、加熱又は冷却された空気を所望の方向へ送風することができる。
また空気調和機は、室内の壁の天井近傍又は室内の天井に取り付けて利用されるため、リモートコントロール装置（以下、リモコンという）によって遠隔操作が可能に構成されている場合が多い。
【０００３】
図５は従来の空気調和機のリモコンの構成例を示す模式図であり、図５（ａ）に従来の空気調和機のリモコンの外観の構成例を示し、図５（ｂ）〜（ｋ）に従来の空気調和機のリモコンの表示状態の一部を例示している。
【０００４】
従来のリモコン４０は表示部４１と操作部４２とを備える。操作部４２は、ユーザが空気調和機を操作するために必要な各種の操作キーを備える。具体的には、操作部４２は、冷房機能を動作させるための冷房キー、暖房機能を動作させるための暖房キー、室内及び屋外の温度に基づいて冷房機能及び暖房機能を適切に切り換えて動作させるための自動キー、除湿機能を動作させるための除湿キー、各機能を停止させるための停止キー、空気調和機から吹き出される空気の風量を調整するための風量キー、空気調和機から吹き出される空気の上下の吹出方向を変更するための上下風向キー、空気調和機から吹き出される空気の左右の吹出方向を変更するための左右風向キー等を備える。
【０００５】
表示部４１は、ユーザが操作部４２の冷房キー、暖房キー、自動キー、除湿キーのいずれかを操作することによって選択された各機能（図５（ａ）では「冷房」）、ユーザによって設定された目標温度（図５（ａ）では「２８℃」）、風量（図５（ａ）では「風量自動」）、上下方向の風向（図５（ａ）では「風向自動」）等をそれぞれ所定の領域に表示する。なお、ユーザによって設定された左右方向の風向は図５（ａ）中の表示領域４１ａに表示される。
空気調和機から吹き出される空気の風量を設定する場合、ユーザは操作部４２の風量キーを操作する。風量キーが操作された場合、リモコンは、例えば「強」、「弱」、「風量自動」を所定の順序で表示部４１に表示させる。ユーザは、表示部４１に表示された風量を確認し、所望の風量が表示されるまで風量キーを複数回操作する。
【０００６】
空気調和機から吹き出される空気の上下の吹出方向を設定する場合、ユーザは操作部４２の上下風向キーを操作する。上下風向キーが操作された場合、空気調和機は、所定の回動範囲内で水平ルーバを所定の角度だけ回動させる。また、上下風向キーが操作され続けた場合、空気調和機は、上下風向キーが操作されている間、所定の回動範囲内で水平ルーバを連続して回動させる。従ってユーザは、上下風向キーの操作に伴って回動される水平ルーバの角度を目視で確認し、所望の角度になるまで上下風向キーを複数回操作し、又は操作し続けることにより、所望の風向となる角度に水平ルーバを回動させることができる。
【０００７】
また、空気調和機から吹き出される空気の左右の吹出方向を設定する場合、ユーザは操作部４２の左右風向キーを操作する。左右風向キーが操作された場合、空気調和機は、所定の回動範囲内で垂直ルーバを所定の角度だけ回動させる。また、左右風向キーが操作され続けた場合、空気調和機は、左右風向キーが操作されている間、所定の回動範囲内で垂直ルーバを連続して回動させる。
【０００８】
ところで、垂直ルーバは水平ルーバの配置位置よりも空気調和機の室内機の内部に入り込んだ位置に設けられている場合が多い。このため、水平ルーバの角度を変更する場合のようにはユーザが目視で垂直ルーバの角度を確認することは困難である。従って、従来の空気調和機は、左右風向キーが操作された場合、所定の回動範囲内で垂直ルーバを回動させると共に、図５（ｂ）〜（ｇ）のそれぞれに示すように矢符で各風向を表した画像を所定の順序で表示部４１の表示領域４１ａに表示させる。なお、図５（ｂ）には空気調和機の室内機から見て正面方向の風向を表す画像が、図５（ｃ）には右側方向の風向を表す画像が、図５（ｄ）には左側方向の風向を表す画像がそれぞれ示されている。
【０００９】
また従来の空気調和機は、図５（ｂ）〜（ｄ）中にそれぞれ示した矢符を複数個同時に表示させることによって、垂直ルーバが所定の回動範囲内を所定速度で回動するスイング状態であることをリモコンに表示する。具体的には、図５（ｅ）には空気調和機の室内機から見て正面方向から右側方向の範囲内で垂直ルーバがスイング状態であることを表す画像が、図５（ｆ）には正面方向から左側方向の範囲内で垂直ルーバがスイング状態であることを表す画像が、図５（ｇ）には右側方向から左側方向の範囲内で垂直ルーバがスイング状態であることを表す画像がそれぞれ示されている。
以上のような画像表示によりユーザは、表示領域４１ａに表示された画像に基づいて左右方向の風向を確認し、所望の風向が表示されるまで左右風向キーを複数回操作し、又は操作し続けることにより、所望の風向となるように垂直ルーバを回動させることができる。
【００１０】
また、特許文献１には、ユーザが風向調節スイッチ（上述の上下風向キーに相当）を操作した場合、所定の回動範囲内で風向機構を作動させると共に、設定し得る風向を図５（ｈ）〜（ｋ）のそれぞれに示す画像を所定の順序で表示させる空気調和機が開示されている。特許文献１に開示されている空気調和機において所望の風向を設定する場合、ユーザは、表示された画像に基づいて風向を確認し、所望の風向が表示されるまで風向調節スイッチを複数回操作する。なお、図５（ｈ）〜（ｋ）のそれぞれの画像は、設定可能な風向の範囲を４分割し、黒く塗りつぶした表示範囲を風向として示している。具体的には、図５（ｈ）に示す画像は設定可能な風向の範囲を４分割した風向のうちで最も上方の風向を、図５（ｉ）に示す画像は上方から２番目の風向を、図５（ｊ）に示す画像は上方から３番目の風向を、図５（ｋ）に示す画像は最も下方の風向をそれぞれ示している。
【特許文献１】特開２００３−１２０９８６号公報
【発明の開示】
【発明が解決しようとする課題】
【００１１】
しかし、リモコン４０における表示領域４１ａの大きさには制限があるので、図５（ｂ）〜（ｇ）中の矢符の表示の大きさも制限される。従って、表示領域４１ａに表示された画像が所望の風向を表す画像であるか否かをユーザが目視により正確に判断することは困難である。図５（ｂ）〜（ｄ）に示す画像は垂直ルーバがそれぞれの方向へ空気を吹き出すように固定された状態を示しており、図５（ｅ）〜（ｇ）に示す画像は垂直ルーバが各回動範囲内で回動されるスイング状態を示しているが、特に、垂直ルーバが固定される状態であるか又はスイング状態であるかの判断が困難であるという問題がある。
【００１２】
本発明は斯かる事情に鑑みてなされたものであり、その目的とするところは、空気の吹出方向と共にルーバがスイング動作するように設定されているか否かを容易に判断することが可能な空気調和機を提供することにある。
【００１３】
本発明の他の目的は、ルーバの角度を目視で直接確認できないような装置本体から離れた場所からであっても、空気の吹出方向と共にルーバがスイング動作するように設定されているか否かを容易に判断することが可能な空気調和機を提供することにある。
【００１４】
本発明の他の目的は、目視で角度を確認することが困難な位置に設けられたルーバであっても、空気の吹出方向と共にルーバがスイング動作するように設定されているか否かを容易に判断することが可能な空気調和機を提供することにある。
【課題を解決するための手段】
【００１５】
本発明に係る空気調和機は、空気を吸い込む吸込口と、該吸込口から吸い込まれた空気を加熱又は冷却する熱交換器と、該熱交換器によって加熱又は冷却された空気を吹き出す吹出口と、該吹出口から吹き出される空気の吹出方向を回動角度に応じて変更するルーバと、該ルーバを回動させる回動手段と、空気の吹出方向を変更する指示又は前記ルーバをスイング動作させる指示を受け付ける受付手段と、該受付手段が受け付けた指示に従って前記回動手段を制御する制御手段と、空気の吹出方向を示す情報を表示する表示手段とを備えた空気調和機において、前記表示手段は、前記受付手段が前記ルーバをスイング動作させる指示を受け付けた場合、前記ルーバのスイング動作に基づく空気の吹出範囲を示す情報と、前記ルーバがスイング動作中であることを特定する特定情報とを同時に表示するように構成されていることを特徴とする。
【００１６】
本発明によれば、ルーバの回動角度に応じて変更される空気の吹出方向を示す情報を表示手段に表示させる空気調和機が、ルーバをスイング動作させる指示を受け付けた場合、ルーバのスイング動作に基づく空気の吹出範囲を示す情報と、ルーバがスイング動作中であることを特定する特定情報とを同時に表示手段に表示させる。よって、表示された情報に基づいて、ルーバの回動角度によって変更される空気の吹出方向だけでなく、ルーバをスイング動作させる設定であるか否かを容易に判断することが可能となる。
【００１７】
本発明に係る空気調和機は、前記表示手段は、前記ルーバの回動角度に応じて変更可能な空気の吹出方向を複数に分割し、それぞれ分割された吹出方向を示す情報によって各吹出方向を示しており、前記受付手段が前記ルーバをスイング動作させる指示を受け付けた場合、前記ルーバのスイング動作に基づく空気の吹出範囲に含まれる吹出方向を示す全ての情報を同時に表示するように構成されていることを特徴とする。
【００１８】
本発明によれば、ルーバの回動角度に応じて変更可能な空気の吹出方向を複数に分割し、それぞれ分割された吹出方向を示す情報によって各吹出方向を示す。ルーバをスイング動作させる指示を受け付けた場合、ルーバのスイング動作に基づく空気の吹出範囲に含まれる吹出方向を示す全ての情報を同時に表示することにより、空気の吹出範囲を明示することが可能となる。
【００１９】
本発明に係る空気調和機は、前記特定情報は、前記ルーバがスイング動作中であることを示す文字情報であることを特徴とする。
【００２０】
本発明によれば、ルーバがスイング動作中であることを文字情報によって示すことにより、ルーバをスイング動作させる設定であるか否かをより容易に判断することが可能となる。
【００２１】
本発明に係る空気調和機は、前記吸込口、前記熱交換器、前記吹出口、前記ルーバ、前記回動手段及び前記制御手段を備えた装置本体と、該装置本体の遠隔操作が可能であり、前記受付手段及び前記表示手段を備えた遠隔操作機とを含むことを特徴とする。
【００２２】
本発明によれば、ルーバの回動角度に応じて変更される空気の吹出方向を示す情報を表示する表示手段を備えた遠隔操作機を設け、ルーバをスイング動作させる指示を受け付けた場合、ルーバがスイング動作中であることを特定する特定情報を遠隔操作機の表示手段に表示させる。よって、ルーバの角度を目視で確認できないような装置本体から離れた場所においても、ルーバの回動角度によって変更される空気の吹出方向だけでなく、ルーバをスイング動作させる設定であるか否かを容易に判断することが可能となる。
【００２３】
本発明に係る空気調和機は、前記ルーバは、前記吹出口から吹き出される空気の吹出方向を上下方向に変更する横ルーバ及び／又は前記吹出口から吹き出される空気の吹出方向を横方向に変更する縦ルーバであることを特徴とする。
【００２４】
本発明によれば、空気の吹出方向を上下方向に変更する横ルーバ及び／又空気の吹出方向を横方向に変更する縦ルーバをスイング動作させる指示を受け付けた場合、横ルーバ及び／又縦ルーバがスイング動作中であることを示す文字情報を表示手段に表示させる。よって、目視で角度を確認することが困難な位置に設けられたルーバであっても、ルーバの回動角度によって変更される空気の吹出方向だけでなく、各ルーバをスイング動作させる設定であるか否かを容易に判断することが可能となる。
【発明の効果】
【００２５】
本発明では、ルーバをスイング動作させる指示を受け付けた場合、ルーバのスイング動作に基づく空気の吹出範囲を示す情報と、ルーバがスイング動作中であることを特定する特定情報とを同時に表示手段に表示させる。よって、表示された各情報に基づいて、空気の吹出方向だけでなく、ルーバをスイング動作させる設定であるか否かを容易に判断することができる。これにより、所望の風向（吹出方向）を設定する場合、空気の吹出方向と共にルーバをスイング動作させる設定であるか否かを容易に特定することができる。また、空気調和機が動作している場合、空気の吹出方向と共にルーバがスイング動作中であるか否か、またスイング動作中である場合にはルーバの回動範囲を容易に把握することができる。
【００２６】
本発明では、ルーバの回動角度に応じて変更可能な空気の吹出方向を複数に分割し、それぞれ分割された吹出方向を示す情報によって各吹出方向を示しており、ルーバをスイング動作させる指示を受け付けた場合、ルーバのスイング動作に基づく空気の吹出範囲を、該吹出範囲に含まれる吹出方向を示す全ての情報を同時に表示することにより明示する。これにより、ルーバのスイング動作による空気の吹出範囲を容易に把握することができる。
【００２７】
本発明では、ルーバがスイング動作中であることを文字情報によって示すことにより、ルーバをスイング動作させる設定であるか否かをより容易に判断することができる。
【００２８】
本発明では、ルーバをスイング動作させる指示を受け付けた場合、ルーバの回動角度に応じて変更される空気の吹出方向を示す情報と共に、ルーバがスイング動作中であることを特定する特定情報を遠隔操作機の表示手段に表示させる。よって、ルーバの角度を目視で確認できないような装置本体から離れた場所においても、空気の吹出方向だけでなく、ルーバをスイング動作させる設定であるか否かを容易に判断することができる。これにより、遠隔操作機を用いて所望の風向を設定する場合、遠隔操作機に表示された情報に基づいて空気の吹出方向と共にルーバをスイング動作させる設定であるか否かを容易に特定することができる。また、空気調和機が動作している場合、遠隔操作機に表示された情報に基づいて空気の吹出方向と共にルーバがスイング動作中であるか否か、またスイング動作中である場合にはルーバの回動範囲を容易に把握することができる。
【００２９】
本発明では、目視で角度を確認することが困難な位置に設けられたルーバ（横ルーバ及び／又縦ルーバ）であっても、空気の吹出方向だけでなく、各ルーバをスイング動作させる設定であるか否かを容易に判断することができる。
【発明を実施するための最良の形態】
【００３０】
以下に、本発明に係る空気調和機について、その実施形態を示す図面に基づいて詳述する。図１は本発明に係る空気調和機の室内機の構成例を示す縦断面図である。
【００３１】
本実施形態の空気調和機１００は、室内の暖房及び冷房をそれぞれ行なう暖房機能及び冷房機能、室内の除湿を行なう除湿機能、室内／屋外の温度、湿度等に基づいて各種運転を切り換える自動運転機能等の実行が可能であり、各機能を実行することによって室内の温度又は湿度を調節する空調動作を行なう。なお、空気調和機１００は、上述した各機能のほかに、煙草の煙、空気中の埃等を除去する空気清浄機能、浮遊する細菌、ウィルス等を殺菌する殺菌機能、室内を加湿する加湿機能等を行なう構成であってもよい。
【００３２】
空気調和機１００は、空調すべき室内の壁に取り付けられる室内機１と、室外に設置される室外機（図示せず）とを備えている。また、空気調和機１００は、室内機（装置本体）１がリモコン（リモートコントロール装置）２からの制御信号を受信することにより、リモコン２によって遠隔操作できるように構成されている。即ち、空気調和機１００は、ユーザがリモコン（遠隔操作機）２を操作することによってリモコン２から発せられる制御信号を室内機１が受信し、室内機１の制御部１０（図２参照）が、受信した制御信号に基づいて上述した各機能を実行する。なお、室内機１及びリモコン２は、例えば、赤外線を利用したＩｒＤＡ（Infrared Data Association）規格に従う無線通信を行なうように構成されている。
【００３３】
室内機１は、室内の空気を吸い込むための吸込口３ａが適宜箇所に形成してあるキャビネット３及び正面パネル４を備えており、キャビネット３に正面パネル４を取り付けることにより構成されている。なお、図１においては、吸込口３ａはキャビネット３にのみ形成されているが、正面パネル４に形成することもできる。
【００３４】
室内機１の内部には、キャビネット３の吸込口３ａから吸い込まれた室内の空気を加熱又は冷却することによって空調する熱交換器５ａ，５ｂ，５ｃと、熱交換器５ａ，５ｂ，５ｃによって空調された空気を送風して室内へ吹き出すための送風ファン６とが設けられている。なお、図示しない室外機にも熱交換器が設けられており、室外機内の熱交換器と、室内機１内の熱交換器５ａ，５ｂ，５ｃとによって、室外の空気と室内の空気との間で熱交換処理を行なうことにより冷房機能又は暖房機能を実行する。
【００３５】
また、送風ファン６によって室内へ吹き出される空気の吹出口７には、吹き出される空気の吹出方向を上下方向に沿って調整する水平ルーバ（横ルーバ）８ａ，８ｂ，８ｃと、吹き出される空気の吹出方向を左右方向（横方向）に沿って調整する垂直ルーバ（縦ルーバ）９とが設けられている。本実施形態では、垂直ルーバ９は、空調された空気が送風ファン６によって吹出口７の水平ルーバ８ａ，８ｂ，８ｃへ送風される空気の送風路の適宜箇所に設けられている。このため、吹出口７の外側から垂直ルーバ９の角度をユーザが目視で確認することは困難である。
【００３６】
更に、室内機１の適宜箇所には吸込口３ａから吸い込まれた室内の空気の温度を検出する温度センサ、湿度を検出する湿度センサ等の各種センサ１３（図２参照）も設けられている。
このような構成により、空気調和機１００は、垂直ルーバ９及び水平ルーバ８ａ，８ｂ，８ｃの角度を適切に設定することによって、空調された空気を所望の方向へ送風することができる。
【００３７】
以下に、本実施形態の空気調和機１００の制御系の構成について説明する。図２は本発明に係る空気調和機１００の制御系の要部構成例を示すブロック図である。
【００３８】
室内機１は、制御部１０、ＲＯＭ１１、ＲＡＭ１２、各種センサ１３、上述のような構成により冷房機能及び暖房機能等を実現する空調部１４、水平ルーバ駆動部１５、垂直ルーバ駆動部１６、信号受信部１７等を備えており、それぞれはバス１ａを介して相互に接続されている。
【００３９】
制御部１０は、ＣＰＵ（Central Processing Unit ）又はＭＰＵ（Micro Processor Unit）等で構成されており、バス１ａを介して接続される上述したようなハードウェア各部を制御すると共に、ＲＯＭ１１に予め格納されている制御プログラムを適宜ＲＡＭ１２に読み出して実行する。ＲＯＭ１１には空気調和機１００を本発明に係る空気調和機として動作させるために必要な種々の制御プログラムが予め格納されている。ＲＡＭ１２はＳＲＡＭ又はフラッシュメモリ等で構成されており、制御部１０による制御プログラムの実行時に発生するデータを一時的に記憶する。
【００４０】
各種センサ１３には、例えば、空気調和機１００の室内機１が設置された室内の温度を計測する室内温度センサ、空気調和機１００の室外機に設けられた室外の温度を計測する室外温度センサ、室内の湿度を計測する湿度センサ等が含まれる。
【００４１】
水平ルーバ駆動部１５は、水平ルーバ８ａ，８ｂ，８ｃのそれぞれを回動させる回動手段であり、制御部１０からの指示に従って水平ルーバ８ａ，８ｂ，８ｃを適宜回動させる。また水平ルーバ駆動部１５は、制御部１０からの指示に従って水平ルーバ８ａ，８ｂ，８ｃを所定の回動範囲内で連続して回動させるスイング動作を行なわせる。
【００４２】
垂直ルーバ駆動部１６は、垂直ルーバ９を回動させる回動手段であり、制御部１０からの指示に従って垂直ルーバ９を適宜回動させる。また垂直ルーバ駆動部１６は、制御部１０からの指示に従って垂直ルーバ９を所定の回動範囲内で連続して回動させるスイング動作を行なわせる。
なお、制御部１０は、後述する構成のリモコン２をユーザが操作することによってリモコン２から発信される制御信号に従って、水平ルーバ駆動部１５及び垂直ルーバ駆動部１６をそれぞれ制御する制御手段として動作する。
【００４３】
信号受信部１７は、リモコン２から発信された各種の制御信号を取得し、取得した制御信号を制御部１０へ送出する。制御部１０は信号受信部１７から送出された制御信号に対応する制御プログラムをＲＯＭ１１からＲＡＭ１２に読み出して適宜実行する。
リモコン２は、制御部２０、ＲＯＭ２１、ＲＡＭ２２、操作部２３、表示部２４、信号発信部２５等を備えており、それぞれはバス２ａを介して相互に接続されている。
【００４４】
制御部２０は、ＣＰＵ又はＭＰＵ等で構成されており、バス２ａを介して接続される上述したようなハードウェア各部を制御すると共に、ＲＯＭ２１に予め格納されている制御プログラムを適宜ＲＡＭ２２に読み出して実行する。ＲＯＭ２１にはリモコン２を本発明に係る空気調和機の遠隔操作機として動作させるために必要な種々の制御プログラムが予め格納されている。ＲＡＭ２２はＳＲＡＭ又はフラッシュメモリ等で構成されており、制御部２０による制御プログラムの実行時に発生するデータを一時的に記憶する。
【００４５】
操作部２３は、ユーザが空気調和機１００を操作するために必要な各種の操作キーを備えており、冷房機能、暖房機能、除湿機能及び自動運転機能の選択、目標温度の設定、風向の変更等の指示を受け付ける。表示部２４は、例えば液晶ディスプレイにより構成されており、空気調和機１００の運転状況、操作部２３を通じて設定された各種の設定値、ユーザに対して報知すべき情報等を表示する。
信号発信部２５は、ユーザが操作部２３の各操作キーを操作した場合、操作された操作キーに対応する制御信号を室内機１へ発信する。
【００４６】
図３は本発明に係る空気調和機１００のリモコン２の外観の構成例を示す模式図、図４は本発明に係る空気調和機１００のリモコン２の表示状態を例示する模式図である。なお、本実施形態のリモコン２は、図５に示した従来のリモコン４０と同様の構成を有しており、同様の構成については説明を省略する。
【００４７】
本実施形態のリモコン２は表示部２４と操作部２３とを備える。図３に示すように、操作部２３は、冷房キー、暖房キー、自動キー、除湿キー、停止キー、風量キー、上下風向キー、左右風向キー等を備える。表示部２４は、ユーザが操作部２３の冷房キー、暖房キー、自動キー、除湿キーのいずれかを操作することによって選択された各機能を表示するための表示領域２４ａ、ユーザによって設定された目標温度を表示するための表示領域２４ｂ、風量を表示するための表示領域２４ｃ、上下方向の風向を表示するための表示領域２４ｄ、左右方向の風向を表示するための表示領域２４ｅ等を有する。
【００４８】
このような構成のリモコン２を用いて室内機１から吹き出される空気の風量を設定する場合、ユーザは操作部２３の風量キーを操作する。風量キーが操作された場合、リモコン２の制御部２０は、例えば「強」、「弱」、「風量自動」を所定の順序で表示部２４の表示領域２４ｃに表示させると共に、風量キーに対応する制御信号を信号発信部２５から発信させる。ユーザは、表示領域２４ｃに表示された風量を確認し、所望の風量が表示されるまで風量キーを複数回操作する。室内機１の制御部１０は、信号受信部１７を介してリモコン２から発信された制御信号を取得し、取得した制御信号に従って、空調された空気が吹き出される風量を変更させるように空調部１４を制御する。
【００４９】
リモコン２を用いて室内機１から吹き出される空気の上下の吹出方向を設定する場合、ユーザは操作部２３の上下風向キーを操作する。上下風向キーが操作された場合、制御部２０は、上下風向キーに対応する制御信号を信号発信部２５から発信させる。室内機１の制御部１０は、信号受信部１７を介してリモコン２から発信された制御信号を取得し、取得した制御信号に従って、所定の回動範囲内で水平ルーバ８ａ，８ｂ，８ｃを所定の角度だけ回動させるように水平ルーバ駆動部１５を制御する。
【００５０】
また、上下風向キーが継続して操作された場合、制御部２０は、上下風向キーに対応する制御信号を信号発信部２５から発信し続ける。室内機１の制御部１０は、信号受信部１７を介してリモコン２から発信された制御信号を取得している間、所定の回動範囲内で水平ルーバ８ａ，８ｂ，８ｃを連続して回動させるように水平ルーバ駆動部１５を制御する。従ってユーザは、上下風向キーの操作に伴って回動される水平ルーバ８ａ，８ｂ，８ｃの角度を目視で確認し、所望の角度に回動されるまで上下風向キーを複数回操作し、又は操作し続ける。従って、操作部２３の上下風向キーは、空気の左右の吹出方向を変更する指示、又は水平ルーバ８ａ，８ｂ，８ｃをスイング動作させる指示を受け付ける。なお、リモコン２の制御部２０は、上下風向キーが所定回数又は所定時間操作され続ける都度、即ち、上下風向キーによって設定される上下の吹出方向が自動となる都度、例えば「風向自動」を表示部２４の表示領域２４ｄに表示させる。従ってユーザは、「風向自動」の設定については表示領域２４ｄに表示された「風向自動」によって把握することができる。
【００５１】
リモコン２を用いて室内機１から吹き出される空気の左右の吹出方向を設定する場合、ユーザは操作部（受付手段）２３の左右風向キーを操作する。左右風向キーが操作された場合、制御部２０は、図４（ａ）〜（ｆ）に示すような画像を所定の順序で表示部（表示手段）２４の表示領域２４ｅに表示させると共に、左右風向キーに対応する制御信号を信号発信部２５から発信させる。ユーザは、表示領域２４ｅに表示された風向を確認し、所望の風向が表示されるまで左右風向キーを複数回操作し、又は操作し続ける。従って、操作部２３の左右風向キーは、空気の左右の吹出方向を変更する指示、又は垂直ルーバ９をスイング動作させる指示を受け付ける。室内機１の制御部１０は、信号受信部１７を介してリモコン２から発信された制御信号を取得した場合、取得した制御信号に従って、所定の回動範囲内で垂直ルーバ９を所定の角度だけ回動させるように垂直ルーバ駆動部１６を制御し、又は信号受信部１７を介してリモコン２から発信された制御信号を取得している間、所定の回動範囲内で垂直ルーバ９を連続して回動させるように垂直ルーバ駆動部１６を制御する。
【００５２】
なお、図４（ａ）に示す画像は室内機１から見て正面方向の風向を、図４（ｂ）に示す画像は右側方向の風向を、図４（ｃ）に示す画像は左側方向の風向をそれぞれ表している。また、図４（ｄ）に示す画像は、図４（ａ）及び（ｂ）中の矢符によって室内機１から見て正面方向から右側方向の吹出範囲と、「スイング」という文字情報によって垂直ルーバ９がスイング状態であることとを表している。図４（ｅ）に示す画像は、図４（ａ）及び（ｃ）中の矢符によって室内機１から見て正面方向から左側方向の吹出範囲と、「スイング」という文字情報によって垂直ルーバ９がスイング状態であることとを表している。図４（ｆ）に示す画像は、図４（ａ）乃至（ｃ）中の矢符によって室内機１から見て右側方向から左側方向の吹出範囲と、「スイング」という文字情報によって垂直ルーバ９がスイング状態であることとを表している。
【００５３】
なお、垂直ルーバ９がスイング状態であることを示す情報としては、スイング動作中であることを特定できる特定情報であれば、「スイング」という文字情報に限られない。例えば、スイング状態であることをイメージできるような絵図を表示領域２４ｅに表示させるようにしてもよい。
【００５４】
図４（ｄ）〜（ｆ）に示すように、垂直ルーバ９が所定の回動範囲内でスイング状態であることを示す文字情報を含む画像を表示領域２４ｅに表示させることにより、垂直ルーバ９の角度を設定するユーザ、又は空気調和機１００の動作中に垂直ルーバ９の動作状態を確認したいユーザは、垂直ルーバ９の角度を目視で直接確認する必要なしに、表示領域２４ｅに表示された画像に基づいて左右方向の風向を確認することができると共に、垂直ルーバ９がスイング状態に設定されているか否かを文字情報により容易に判断することができる。また、垂直ルーバ９がスイング状態に設定されている場合には、垂直ルーバ９のスイング動作の際の回動範囲も把握することができる。
【００５５】
上述した実施形態の空気調和機１００では、リモコン２の表示部２４に垂直ルーバ９による空気の吹出方向を示す画像及びスイング状態であるか否かを示す文字情報がそれぞれ表示される構成について説明した。しかし、例えば、室内機１に操作部及び表示部を有線で接続し、この表示部に垂直ルーバ９による空気の吹出方向を示す画像及びスイング状態であるか否かを示す文字情報を表示させるように構成してもよい。なお、本実施形態のようにリモコン２の表示部２４に表示させた場合には、垂直ルーバ９の角度を目視で確認できないような離れた場所からでも、表示された情報に基づいて、空気の吹出方向だけでなく垂直ルーバ９がスイング状態であるか否かを容易に判断することができる。
【００５６】
また、上述した実施形態では、垂直ルーバ９に基づく空気の左右の吹出方向について、上述したようにスイング状態であるか否かを示す文字情報をリモコン２の表示部２４に表示させる構成について説明した。しかし、例えば、水平ルーバ８ａ，８ｂ，８ｃが室内機１の吹出口７の外側から見難い位置に設けられている場合には、水平ルーバ８ａ，８ｂ，８ｃに基づく空気の上下の吹出方向について、スイング状態であるか否かを示す文字情報を表示させるようにしてもよい。更に、垂直ルーバ９及び水平ルーバ８ａ，８ｂ，８ｃの双方について、スイング状態であるか否かを示す文字情報を表示させるようにしてもよい。
【図面の簡単な説明】
【００５７】
【図１】本発明に係る空気調和機の室内機の構成例を示す縦断面図である。
【図２】本発明に係る空気調和機の制御系の要部構成例を示すブロック図である。
【図３】本発明に係る空気調和機のリモコンの外観の構成例を示す模式図である。
【図４】本発明に係る空気調和機のリモコンの表示状態を例示する模式図である。
【図５】従来の空気調和機のリモコンの構成例を示す模式図である。
【符号の説明】
【００５８】
１００  空気調和機
１  室内機（装置本体）
２  リモコン（遠隔操作機）
３ａ  吸込口
５ａ，５ｂ，５ｃ  熱交換器
７  吹出口
８ａ，８ｂ，８ｃ  水平ルーバ（横ルーバ）
９  垂直ルーバ（縦ルーバ）
１０  制御部（制御手段）
１５  水平ルーバ駆動部（回動手段）
１６  垂直ルーバ駆動部（回動手段）
２４  表示部（表示手段）
【図１】
2008170133.tif 000003
【図２】
2008170133.tif 000004
【図３】
2008170133.tif 000005
【図４】
2008170133.tif 000006
【図５】
2008170133.tif 000007